(57)【要約】【課題】剥離シートを容易に剥がすことができる剥離シート付き両面粘着シートを提供する。【解決手段】剥離シート付き両面粘着シート１０は、両面粘着シート２５と、上剥離シート１１と、下剥離シート２１とを備えている。上剥離シート１１は、両面粘着シート２５の縁から延出した、シート１１を剥がす際に摘まれるタブ部１３ａを有し、下剥離シートは、両面粘着シート２５の縁から延出した、シート２１を剥がす際に摘まれるタブ部２３ａを有している。上剥離シートのタブ部１３ａと、下剥離シートのタブ部２３ａとは、シートの厚み方向に見て互いに重ならないように配置されている。【選択図】図２
2009225863.tif 000002
【特許請求の範囲】
【請求項１】
上面及び下面のそれぞれが少なくとも部分的に粘着性を有している両面粘着シートと、
前記上面に剥離可能に貼り付けられた上剥離シートと、
前記下面に剥離可能に貼り付けられた下剥離シートと、
を備えた剥離シート付き両面粘着シートであって、
前記上剥離シートは、前記両面粘着シートの縁から延出した、該上剥離シートを前記両面粘着シートから剥がす際に摘まれるタブ部を有し、
前記下剥離シートは、前記両面粘着シートの縁から延出した、該下剥離シートを前記両面粘着シートから剥がす際に摘まれるタブ部を有し、
前記上剥離シートのタブ部と、前記下剥離シートのタブ部とが、シートの厚み方向に見て互いに重ならないように設けられている、剥離シート付き両面粘着シート。
【請求項２】
前記剥離シートの前記タブ部の近傍が一部切り欠かれているこことにより、この切欠き部において前記両面粘着シートの表面が部分的に露出しており、この露出部を摘みながら前記剥離シートを剥がせるようになっている、
請求項１に記載の剥離シート付き両面粘着シート。
【請求項３】
前記露出部は粘着性を有していない、
請求項２に記載の剥離シート付き両面粘着シート。
【請求項４】
前記両面粘着シートの輪郭形状が矩形であり、前記露出部が対角線上の２つの隅部に形成されている、
請求項２又は３に記載の剥離シート付き両面粘着シート。
【請求項５】
前記切欠き部の内隅部にＲ部が形成されている、
請求項２〜４のいずれか１項に記載の剥離シート付き両面粘着シート。
【請求項６】
前記剥離シートは、平面方向に見て前記両面粘着シートの一方の側と他方の側とに、前記タブ部を１つずつ有しており、
前記一方の側の前記タブ部と、前記他方の側の前記タブ部と、が前記剥離シートの中心を基準として点対称の配置となっている、
請求項１〜５のいずれか１項に記載の剥離シート付き両面粘着シート。
【請求項７】
前記タブ部の輪郭が円弧状に形成されている、
請求項１〜６のいずれか１項に記載の剥離シート付き両面粘着シート。
【請求項８】
前記両面粘着シートは、
シート状の基材と、
その両面に設けられた粘着層と、
を有する、
請求項１〜７のいずれか１項に記載の剥離シート付き両面粘着シート。
【請求項９】
前記両面粘着シートは光透過性を有する、請求項１〜８のいずれか１項に記載の剥離シート付き両面粘着シート。
【請求項１０】
前記両面粘着シートは、患者の体の所定部位に刺された注入針を覆うように貼り付けられるものであり、
前記シート状の基材には、シートを前記注入針に対して位置合わせするためのマークが付されている、請求項８に記載の剥離シート付き両面粘着シート。
【発明の詳細な説明】
【技術分野】
【０００１】
本発明は、両面に剥離シートが貼られた剥離シート付き両面粘着シートに関し、特に、剥離シートを容易に剥がすことができる剥離シート付き両面粘着シートに関する。
【背景技術】
【０００２】
現在、医療用の画像診断装置として、ＣＴ(Computed Tomography)スキャナ、ＭＲＩ(Magnetic Resonance Imaging)装置、ＰＥＴ(Positron
Emission Tomography)装置等が知られている。このような撮像装置を使用する際、患者に造影剤や生理食塩水など（以下、これらをまとめて「薬液」とも言う）を注入することがある。また、この注入を自動的に実行する薬液注入装置も種々実用化されている。
【０００３】
ところで、薬液注入装置は薬液を高圧で注入するので、注入針が血管から外れて造影剤が皮下で漏出する可能性がある。そこで、本出願人は、例えば特許文献１において、造影剤の漏出を検出するセンサユニットを提案している。このセンサユニットは、小型の箱状に構成されており、例えば、患者の腕の注入針が刺された箇所を覆うように取り付けられて、薬液の漏出を検出する。センサユニットは、本体との間で無線通信を行うことができるように構成されており、検出結果のデータをワイヤレスで本体へと送る。本体は、このセンサユニットからの検出結果に基づいて薬液の漏出の有無を判断することができる。
【０００４】
上記のようなセンサユニットを患者の腕（一例）に取り付けるために、シート状の基材の両面に粘着層が設けられた両面粘着シートが用いられる。この両面粘着シートは、上下両面に張られた剥離シートを剥がした後、使用される。
【特許文献１】国際公開第２００７/０４６４６０号
【発明の開示】
【発明が解決しようとする課題】
【０００５】
特許文献１の構成においても、剥離シートを剥がし易くするための工夫がなされており、実用上十分であったが、更なる改善の余地は残されている。本発明は、この点に鑑みてなされたものであり、その目的は、剥離シートを容易に剥がすことができる剥離シート付き両面粘着シートを提供することにある。
【課題を解決するための手段】
【０００６】
上記課題を解決する本発明の剥離シート付き両面粘着シートは、
上面及び下面のそれぞれが少なくとも部分的に粘着性を有している両面粘着シートと、
前記上面に剥離可能に貼り付けられた上剥離シートと、
前記下面に剥離可能に貼り付けられた下剥離シートと、
を備えた剥離シート付き両面粘着シートであって、
前記上剥離シートは、前記両面粘着シートの縁から延出した、該上剥離シートを前記両面粘着シートから剥がす際に摘まれるタブ部を有し、
前記下剥離シートは、前記両面粘着シートの縁から延出した、該下剥離シートを前記両面粘着シートから剥がす際に摘まれるタブ部を有し、
前記上剥離シートのタブ部と、前記下剥離シートのタブ部とが、シートの厚み方向に見て互いに重ならないように（互い違いに）設けられている。
なお、「互いに重ならないように」とは、タブ部同士が完全に重なっていないことを意図するものであり、部分的に重なっている構成を排除するものではない。
【０００７】
このような構成によれば、剥離シートのタブ部が両面粘着シートの縁から延出しているため、及び、上下のタブ部が重ならないように配置されているため、剥離シートのタブ部を容易に摘むことができ、したがって、剥離シートを簡単に剥がすことが可能となる。
【０００８】
本発明の剥離シート付き両面粘着シートは、また、
前記剥離シートの前記タブ部の近傍（付け根付近）が一部切り欠かれていることにより、この切欠き部において前記両面粘着シートの表面が部分的に露出しており、この露出部を摘みながら（押さえながら）前記剥離シートを剥がせるようになっている。また、この場合、前記前記露出部は粘着性を有していないことが好ましい。
このような構成によれば、両面粘着シートを押さえつつ、剥離シートをより容易に剥がすことができる。
【０００９】
なお、上記のような切欠き部は、上剥離シート及び下剥離シートの両方に形成されていてもよいし、いずれか一方のみに形成されていてもよい。
【００１０】
本発明の剥離シート付き両面粘着シートは、また、
前記剥離シートが、平面方向に見て前記両面粘着シートの一方の側と他方の側とに、前記タブ部を１つずつ有しており、
前記一方の側の前記タブ部と、前記他方の側の前記タブ部と、が前記剥離シートの中心を基準として点対称の配置となっている。
このような構成によれば、剥離シートを両面粘着シートの両側（一方の側及び他方の側）から剥がすことができる。
【００１１】
前記両面粘着シートの輪郭形状が矩形であり、前記露出部が対角線上の２つの隅部に形成されていてもよい。剥離シートに関し、前記タブ部の輪郭が円弧状に形成されていてもよい。また、前記切欠き部の内隅部にＲ部が形成されていてもよく、これにより、タブ部をめくって剥離シートを剥がす際に、タブ部の付け根付近が裂けることが防止される。
【００１２】
前記両面粘着シートは光透過性を有するものであってもよい。このようなシートの場合、薬液漏出を検出する光学センサを固定するのに好適に用いることができる。
また、両面粘着シートの上記シート状の基材には、シートを注入針に対して位置合わせするためのマークが付されてもよい。これにより、両面粘着シートを貼る際に位置合わせを行い易くなる。
【発明の効果】
【００１３】
上述したように、本発明によれば、剥離シートを容易に剥がすことができる剥離シート付き両面粘着シートを提供することができる。
【発明を実施するための最良の形態】
【００１４】
以下、図面を参照して本発明の実施の一形態を説明する。図１は、両面粘着シートの用途の一例を示す斜視図である。
【００１５】
図１に示すように、両面粘着シート２５は、一例として、患者の腕にセンサユニット４０１（光学センサ）を固定するのに利用される。この例では、患者の腕の血管Ｖに注入針２３０の先端が挿入されており、その挿入部分及び針２３０の一部を覆うように、両面粘着シート２５が上から貼り付けられている。注入針２３０は、薬液チューブ２３１を介して不図示のシリンジに繋がっており、これにより、シリンジ内の薬液が患者へと供給されるようになっている。
【００１６】
センサユニット４０１は、特許文献１に記載された公知の構成であるので詳細な説明は省略するが、この例では、箱状のハウジング内に収容された、発光ダイオード及びフォトトランジスタ（不図示）を有している。仮に、針２３０の先端が血管Ｖから抜けて造影剤が皮下に漏出した場合、発光ダイオードから出射され腕の内部で反射して返ってくる光の強度が大きく変化する。この変化をフォトトランジスタで検出し、その結果に基づいて反射光の強度が所定の閾値を下回っているかどうかを判別することで、薬液の漏出の有無を知ることができる。
【００１７】
次に、両面粘着シート２５及び剥離シート１１、２１の構成について、図２〜図５を参照して説明する。
図２は、本実施形態の剥離シート付き両面粘着シートの斜視図である。図３は、剥離シート付き両面粘着シートの積層状態を示す断面図である。
図４は、剥離シートの平面図であり、図５は、両面粘着シートの平面図である。
【００１８】
図２に示すように、両面粘着シート２５は、未使用状態では、その上面及び下面にそれぞれ上剥離シート１１及び下剥離シート２１が貼り付けられている（この状態のものを、剥離シート付き両面粘着シート１０という）。
なお、下剥離シート２１は、上剥離シート１１の輪郭形状を反転させたものであり、各部の寸法や材質等について上剥離シート１１と同一であるので、以下の説明では、上剥離シート１１を主として説明し、下剥離シート２１についての重複する説明は省略する。
【００１９】
両面粘着シート２５は、図３に示すように、シート状の基材２６と、その上面及び下面に設けられた粘着層２７、２７を有している。
シート状の基材２６は、一例として柔軟な、光透過性を有する樹脂シートであり、図５に示すように、長方形の輪郭を有している。また、粘着層２７、２７も光透過性を有している。
なお、基材２６には樹脂シートの他にも不織布等を用いてもよい。
【００２０】
粘着層２７は、基材２６の表面の全面に形成されていてもよいが、本実施形態では図５に示すように、基材２６の表面上に２つの露出部２８が生じるような形態で設けられている。露出部２８は、基材２６の対角線上の隅部に１つずつ形成されている。各露出部２８は矩形に形成されており、その大きさは、剥離シートの切欠き部１４ａ、１４ｂ（詳細後述）に対応している。
【００２１】
上剥離シート１１は、図２（Ａ）に示すように、両面粘着シート２５の縁から延出した２つのタブ部１３ａ、１３ｂを有している。一方のタブ部１３ａは両面粘着シート２５の四辺のうちＸ方向右側の短辺から延出しており、他方のタブ１３ｂは反対側の短辺から延出している。タブ１３ａとタブ１３ｂとは、シート１１の中心を基準として、互いに点対称の配置となっている。
【００２２】
各タブ部１３ａ、１３ｂの輪郭は円弧状である。剥離シート１１の幅（図２のＹ方向の寸法）は、両面粘着シート２５の幅と同一である。各タブ部１３ａ、１３ｂの幅は、両面粘着シート２５の幅のおよそ１／２である。
【００２３】
図４に示すように、各タブ部１３ａ、１３ｂの近傍（付け根付近）では、剥離シート１１が部分的に切り欠かれ、切欠き部１４ａ、１４ｂとなっている。この切欠き部１４ａ、１４ｂが形成されていることにより、両面粘着シート２５の２つの露出部２８が露出される。この露出部２８は、後述するように、剥離シート１１を剥がす際に指で押さえるための部分である。
各切欠き部１４ａ、１４ｂの内隅部には、剥離時にシート１１が裂けたりするのを防止するためのＲ部１２が形成されている（図２（Ａ）参照）。
【００２４】
上記したように、下剥離シート２１は、上剥離シート１１の輪郭形状を反転させたものである。したがって、図２（Ａ）に示すように、上剥離シート１１のタブ部１３ａと、下剥離シート２１のタブ部２３ｂとは、シートの厚み方向に見て（図示上下方向）互いに重ならないような配置となっている。
【００２５】
なお、剥離シート１１、２１の材質は特に限定されるものではなく、例えば、片面又は両面に樹脂コーティングされた紙製のものであってもよい。
【００２６】
次に、以上のように構成された剥離シート付き両面粘着シート１０の使用方法（特に剥離シートの剥がし方）について説明する。なお、以下では、上剥離シート１１を先に剥がす例について説明するが、剥離シート１１、２１を剥がす順番は特に限定されるものではない。図１のような用途に鑑みれば、下剥離シート２１を先に剥がし、粘着シート２５を患者の腕に貼り付けた後、上剥離シート１１を剥がすようにしてもよい。
【００２７】
図２（Ｂ）に示すように、上剥離シート１１を剥がす場合、使用者は、例えば右手で両面粘着シート２５の露出部２８を摘みつつ、左手で上剥離シート１１のタブ部１３ａを摘み、タブ部１３ａを上方にめくりながら上剥離シート１１を手前側から剥がしていくことができる。
【００２８】
この際、本実施形態の構成によれば、タブ部１３ａが両面粘着シート２５の縁から延出しているので、タブ部１３ａを摘み易いという利点がある。また、上下のタブ部１３ａ、２３ａが重ならないように配置されているので、摘み易さはより良好なものとなっている。
【００２９】
露出部２８は粘着性を有していないので、摘んだ際に指が粘着シート２５に粘着することもない。指が粘着シート２５に粘着する構成では、剥離シート１１を剥がした後に指を同シート２５から剥がす必要があるが、本実施形態ではそのような必要がない。更には、このような粘着性のない露出部２８が設けられている場合、薬液注入終了後（図１参照）、患者の腕から粘着シート２５を剥がす際に、シート下面（肌に接する側の面）の露出部２８のところから粘着シート２５を剥がすことができるので、剥がし易さが向上する。
【００３０】
また、本実施形態においては、図２（Ａ）に示すように上剥離シート１１の切欠き部１４ａの内隅部にＲ部１２が形成されているので、タブ部１３ａをめくる際に（図２（Ｂ）参照）、切欠き部１４ａの内隅部に応力が集中してその部分が裂けたりすることもない。
【００３１】
上記工程により上剥離シート１１を剥離させたら、次いで、同様の手順により下剥離シート２１を剥離させる。次いで、両面粘着シート２５を、図１に示すように、患者の腕の血管Ｖに挿入された注入針２３０を覆うように同シート２５を貼り付ける。その後、両面粘着シート２５の上面に、センサユニット４０１を配置する。これにより、センサユニット４０１が、注入針２３０の挿入部に対して位置決め固定され、造影剤の漏出を検出できる状態となる。
【００３２】
以上説明したように、本実施形態の両面粘着シート２５によれば、センサユニット４０１を所定の位置に良好に固定することができる。また、本実施形態の剥離シート付き両面粘着シート１０によれば、上述したように、タブ部（１３ａ等）が両面粘着シート２５の縁から延出しているので、タブ部を容易に摘むことができ、また、上下のタブ部１３ａ、２３ａが重ならないように配置されているので、タブ部の摘み易さがより向上する。また、剥離シート１１、２１を剥がす際に、両面粘着シート２５の露出部２８を摘んで剥がすことができるので、剥離シートをより容易に剥がすことができる。
【００３３】
また、特許文献１の構成では、粘着シート２５の上下面にそれぞれ剥離シートが２枚ずつ貼られているため、計４枚のシートを剥がす必要があるが、本実施形態によれば、上剥離シート１１と下剥離シート２１の２枚だけを剥がせば良い。したがって、工程を簡素化することができる。
【００３４】
次に、本発明の他の形態について幾つか説明する。
上記の例では、図２に示すように上剥離シート１１が２つのタブ部１３ａ、１３ｂを有していたが、これに限定されるものではなく、図６に示すように、１つのタブ部１３ａのみを有する上剥離シート１１′を利用することもできる。このような場合であっても、タブ部１３ａが延出しているので摘み易い点、及び、タブ部１３ａの近傍の露出部２８を摘みながら剥離シート１１′を剥がすことができる点で、上記実施形態同様の利点が得られる。
【００３５】
また、タブ部の輪郭形状も円弧状に限られるものではなく、図７に示すような矩形のタブ部１３ｃとすることもできる。
【００３６】
また、図８に示すように、両面粘着シート２５に、同シートを注入針２３０に対して位置合わせするためのマーク２９が設けられていてもよい。この両面粘着シート２５は、その長手方向（Ｘ方向）が患者の腕の周方向に一致するような向きで貼り付けられる。マーク２９は、注入針２３０の外径に対応した幅（Ｘ方向）を有する細長い長方形（縁のみが線で表されている）である。マーク２９は、両面粘着シート２５の長辺（Ｘ方向）における中央部から、シートの中心に向かって内側に延び、その先端部２９ａは、シート２５の中心に位置している。
【００３７】
更には、両面粘着シート２５に、センサユニット４０１を位置合わせするための他のマーク（不図示）が設けられていてもよい。これらのマークは、両面粘着シート２５が透明である場合には、シートの表裏いずれの面に形成してもよい。また、両面粘着シート２５は、所定の波長帯域の光のみを透過する光学フィルムとしての機能を備えていてもよい。
【００３８】
図９に示す剥離シート付き両面粘着シートでは、略平行四辺形の剥離シート３１が貼られている。この剥離シート３１は、２つの鋭角部付近が同シートを剥がすためのタブ部３３となっており、上記実施形態同様、このタブ部３３の輪郭は円弧状に形成されている。斜辺の角度はおよそ４０°〜５０°である（一例として４５°）。上記実施形態同様、両面粘着シート３５の角部が部分的に露出しており（露出部３８）、この露出部３８を摘みながら、剥離シート３１のタブ部３３をめくって剥がすことができる。
なお、図９の符号３７は、粘着層が形成（塗布）された領域を示している。粘着層３７は、縦長の長方形の両面粘着シート３５のうち、上下両端付近を除く領域に形成されている。
【００３９】
両面粘着シート２５は、図３のような積層体に限定されるものではなく、粘着性をもつ材質をシート状に形成した単層のものであってもよい。両面粘着シート２５の輪郭形状は、矩形に限らず、多角形、円形（楕円形を含む）等であってもよい。
例えば円形の場合、剥離シートの一方のタブ部（１３ａ）と、他方のタブ部（１３ｂ）とが、１８０°間隔で円の外周部に形成されていてもよい。
【００４０】
以上、本発明の一形態について、医療分野に用いられる両面粘着シート２５を例として説明したが、本発明の剥離シート付き両面粘着シートは、当然ながら、医療分野以外の他の分野においても広く利用することができる。
【図面の簡単な説明】
【００４１】
【図１】両面粘着シートの用途の一例を示す斜視図である。
【図２】本発明の一形態の剥離シート付き両面粘着シートの斜視図である。
【図３】図１のシートの積層状態を示す断面図である。
【図４】剥離シートの輪郭形状を示す平面図である。
【図５】両面粘着シートの平面図である。
【図６】本発明の他の形態の剥離シート付き両面粘着シートの斜視図である。
【図７】本発明の更に他の形態の剥離シート付き両面粘着シートの斜視図である。
【図８】両面粘着シートの他の例を示す平面図である。
【図９】剥離シート付き両面粘着シートの更に他の例を示す平面図である。
【符号の説明】
【００４２】
１０  剥離シート付き両面粘着シート
１１、２１、３１  剥離シート
１２  Ｒ部
１３、２３、３３  タブ部
２５、３５  両面粘着シート
２６  基材
２７、３７  粘着層
２８、３８  露出部
２９  マーク
２９ａ  先端部
２３０  注入針
４０１  センサユニット
【図１】
2009225863.tif 000003
【図２】
2009225863.tif 000004
【図３】
2009225863.tif 000005
【図４】
2009225863.tif 000006
【図５】
2009225863.tif 000007
【図６】
2009225863.tif 000008
【図７】
2009225863.tif 000009
【図８】
2009225863.tif 000010
【図９】
2009225863.tif 000011